(57)【要約】【課題】記録される内容を認識させるような情報を印刷する。【解決手段】特徴量抽出部５１は、記録媒体に記録されるコンテンツから、特徴量を抽出する。代表画抽出部５２は、特徴量を用いてコンテンツを代表する画像を抽出し、その抽出した代表画を、代表画蓄積部５３に蓄積させる。フィルタ記憶部５４は、記録媒体に記録させるコンテンツ数に応じたフィルタを、代表画分別部５５に供給する。代表画分別部５５は、代表画蓄積部５３に蓄積されている代表画から、フィルタを通過する画像をレーベル候補画像に設定する。レイアウト決定部５６は、レーベル候補画像を組み合わせることで、レーベルを設定する。本発明は、記録媒体にコンテンツを記録する例えば、ＤＶＤレコーダなどに適用できる。【選択図】図２
2009140523.tif 000002
【特許請求の範囲】
【請求項１】
コンテンツから代表画を抽出する抽出手段と、
所定の記録媒体の印刷する面を領域分割したフィルタであり、前記記録媒体に記録する前記コンテンツの数に応じて使い分けられるフィルタを記憶する記憶手段と、
前記記録媒体に記録するコンテンツの数が決定されたとき、記録されるコンテンツから抽出された前記代表画に、前記コンテンツの数に応じた前記フィルタを適用し、フィルタ毎に、前記代表画を分別する分別手段と、
前記分別手段により分別された前記代表画を組み合わせ、前記記録媒体に印刷するレーベルを決定する決定手段と
を備える画像処理装置。
【請求項２】
前記決定手段により決定された前記レーベルを前記記録媒体に印刷する印刷手段を
さらに備える請求項１に記載の画像処理装置。
【請求項３】
前記記録媒体は、ディスク状の記録媒体である
請求項１に記載の画像処理装置。
【請求項４】
コンテンツから代表画を抽出し、
所定の記録媒体の印刷する面を領域分割したフィルタであり、前記記録媒体に記録する前記コンテンツの数に応じて使い分けられるフィルタを記憶する記憶手段からの前記フィルタの読み出しを制御し、
前記記録媒体に記録するコンテンツの数が決定されたとき、記録されるコンテンツから抽出された前記代表画に、前記コンテンツの数に応じた前記フィルタを適用し、フィルタ毎に、前記代表画を分別し、
分別された前記代表画を組み合わせ、前記記録媒体に印刷するレーベルを決定する
ステップを含む画像処理方法。
【請求項５】
コンテンツから代表画を抽出し、
所定の記録媒体の印刷する面を領域分割したフィルタであり、前記記録媒体に記録する前記コンテンツの数に応じて使い分けられるフィルタを記憶する記憶手段からの前記フィルタの読み出しを制御し、
前記記録媒体に記録するコンテンツの数が決定されたとき、記録されるコンテンツから抽出された前記代表画に、前記コンテンツの数に応じた前記フィルタを適用し、フィルタ毎に、前記代表画を分別し、
分別された前記代表画を組み合わせ、前記記録媒体に印刷するレーベルを決定する
ステップを含む処理をコンピュータに実行させるプログラム。
【請求項６】
コンテンツから代表画を抽出し、
所定の記録媒体の印刷する面を領域分割したフィルタであり、前記記録媒体に記録する前記コンテンツの数に応じて使い分けられるフィルタを記憶する記憶手段からの前記フィルタの読み出しを制御し、
前記記録媒体に記録するコンテンツの数が決定されたとき、記録されるコンテンツから抽出された前記代表画に、前記コンテンツの数に応じた前記フィルタを適用し、フィルタ毎に、前記代表画を分別し、
分別された前記代表画を組み合わせ、前記記録媒体に印刷するレーベルを決定する
ステップを含む処理をコンピュータに実行させるプログラムを記録している記録媒体。
【発明の詳細な説明】
【技術分野】
【０００１】
本発明は画像処理装置および方法、プログラム、並びに記録媒体に関し、特に、録画されている動画像を、他の記録媒体に記録するとき、その記録媒体に、記録する動画像に関する画像を印刷することができるようにした画像処理装置および方法、プログラム、並びに記録媒体に関する。
【背景技術】
【０００２】
近年、ハードディスクレコーダやＤＶＤ（Digital Versatile Disc）レコーダなどが普及しつつある。ハードディスクレコーダに録画した動画像や、ビデオカメラなどで撮影した動画像を、ＤＶＤなどの記録媒体に記録することも普及しつつある。さらには、ＤＶＤなどの記録媒体の表面（ディスクの表面）に、記録されている動画像に関する説明などのテキストや静止画像を印刷する（レーベルを印刷する）ことも一般的に行われるようになってきている。
【０００３】
ディスク状の記録媒体には、中央部分に回転軸となる穴が設けられている。ディスク面にレーベルを印刷するとき、その穴を考慮して、印刷可能範囲を特定し、印刷画像の拡大や縮小を行うことが提案されている（例えば、特許文献１乃至３参照）。
【特許文献１】特開２００７−６２１１１号公報
【特許文献２】特開２００６−１６７９６５号公報
【特許文献３】特開２００７−５４９７３号公報
【発明の開示】
【発明が解決しようとする課題】
【０００４】
ディスク状の記録媒体に、例えば、人の顔を印刷する場合、その人の顔がディスクの穴にかかって印刷されると、結果として、顔の一部が欠落した状態で印刷されてしまうことになる。このような印刷は好ましくないので、印刷する画像が欠落しないように印刷されるように制御されることが望まれている。
【０００５】
また、例えば、テレビジョン放送の番組を記録媒体に記録する場合など、記録媒体にどのような番組が記録されているのかを示す情報を印刷すると、ユーザが見たい番組が記録されている記録媒体を検索するときに、その印刷されている情報で検索することができるようになる。このようなことを考慮し、記録媒体に記録する内容を示す情報が、ユーザの手を煩わすことなく印刷されることが望まれている。
【０００６】
本発明は、このような状況に鑑みてなされたものであり、記録媒体に記録されている内容を示す情報を、適切に印刷することができるようにするものである。
【課題を解決するための手段】
【０００７】
本発明の一側面の画像処理装置は、コンテンツから代表画を抽出する抽出手段と、所定の記録媒体の印刷する面を領域分割したフィルタであり、前記記録媒体に記録する前記コンテンツの数に応じて使い分けられるフィルタを記憶する記憶手段と、前記記録媒体に記録するコンテンツの数が決定されたとき、記録されるコンテンツから抽出された前記代表画に、前記コンテンツの数に応じた前記フィルタを適用し、フィルタ毎に、前記代表画を分別する分別手段と、前記分別手段により分別された前記代表画を組み合わせ、前記記録媒体に印刷するレーベルを決定する決定手段とを備える。
【０００８】
前記決定手段により決定された前記レーベルを前記記録媒体に印刷する印刷手段をさらに備えるようにすることができる。
【０００９】
前記記録媒体は、ディスク状の記録媒体であるようにすることができる。
【００１０】
本発明の一側面の画像処理方法は、コンテンツから代表画を抽出し、所定の記録媒体の印刷する面を領域分割したフィルタであり、前記記録媒体に記録する前記コンテンツの数に応じて使い分けられるフィルタを記憶する記憶手段からの前記フィルタの読み出しを制御し、前記記録媒体に記録するコンテンツの数が決定されたとき、記録されるコンテンツから抽出された前記代表画に、前記コンテンツの数に応じた前記フィルタを適用し、フィルタ毎に、前記代表画を分別し、分別された前記代表画を組み合わせ、前記記録媒体に印刷するレーベルを決定するステップを含む。
【００１１】
本発明の一側面のプログラムは、コンテンツから代表画を抽出し、所定の記録媒体の印刷する面を領域分割したフィルタであり、前記記録媒体に記録する前記コンテンツの数に応じて使い分けられるフィルタを記憶する記憶手段からの前記フィルタの読み出しを制御し、前記記録媒体に記録するコンテンツの数が決定されたとき、記録されるコンテンツから抽出された前記代表画に、前記コンテンツの数に応じた前記フィルタを適用し、フィルタ毎に、前記代表画を分別し、分別された前記代表画を組み合わせ、前記記録媒体に印刷するレーベルを決定するステップを含む処理をコンピュータに実行させる。
【００１２】
本発明の一側面の記録媒体は、コンテンツから代表画を抽出し、所定の記録媒体の印刷する面を領域分割したフィルタであり、前記記録媒体に記録する前記コンテンツの数に応じて使い分けられるフィルタを記憶する記憶手段からの前記フィルタの読み出しを制御し、前記記録媒体に記録するコンテンツの数が決定されたとき、記録されるコンテンツから抽出された前記代表画に、前記コンテンツの数に応じた前記フィルタを適用し、フィルタ毎に、前記代表画を分別し、分別された前記代表画を組み合わせ、前記記録媒体に印刷するレーベルを決定するステップを含む処理をコンピュータに実行させるプログラムを記録している。
【００１３】
本発明の一側面によれば、コンテンツから、そのコンテンツを代表する代表画が抽出され、記録媒体に記録するコンテンツの数に応じて用意されているフィルタ毎に、当該代表画が分別され、フィルタリングされた結果が用いられて、代表画の組み合わせが行われることにより、記録媒体の情報が印刷される面に印刷されるレーベルが決定される。
【発明の効果】
【００１４】
本発明の一側面によれば、記録媒体に印刷する情報を、記録媒体に記録されているコンテンツから適切に抽出することができる。また、抽出した情報を適切に印刷するためのレイアウトを設定できる。
【発明を実施するための最良の形態】
【００１５】
以下に、本発明の実施の形態について図面を参照して説明する。
【００１６】
図１は、本発明を適用した画像処理装置の一実施の形態の構成を示す図である。図１に示した画像処理装置は記録装置に適用でき、例えば、テレビジョン放送の番組を録画する記録装置に適用することができる。なお、以下の説明においては、テレビジョン放送の番組をコンテンツの１例として挙げ、説明を続けるが、本発明が適用されるコンテンツは、テレビジョン放送の番組に限定されるのではない。
【００１７】
図１に示した記録装置１１は、放送受信部２１、蓄積部２２、コンテンツ書き込み部２３、記録媒体２４、レーベル書き込み部２５、制御部２６、ユーザ操作受付部２７、およびレーベルデザイン生成部２８から構成されている。また、記録装置１１は、表示部１２と接続される。
【００１８】
放送受信部２１は、図示していない放送局からの信号を受信するアンテナやケーブルが接続されている。放送受信部２１は、アンテナやケーブルを介して取得されるテレビジョン放送の番組を選択するチューナなどを含む構成とされている。
【００１９】
放送受信部２１により受信され、処理された番組（コンテンツ）は、蓄積部２２に蓄積される。コンテンツ書き込み部２３は、蓄積部２２に蓄積されているコンテンツを記録媒体２４に書き込む。記録媒体２４は、ＤＶＤ(Digital Versatile Disc)や、ブルーレイ（Blu-ray Disc）ディスクなどの記録媒体であり、記録装置１１に対して着脱自在の記録媒体である。また、記録媒体２４は、中央に穴が設けられているディスク状の記録媒体であるとして説明を続ける。
【００２０】
制御部２６は、記録装置１１内の各部を制御する。ユーザ操作受付部２７は、例えば、リモートコントローラからの指示や、本体に設けられているボタンが操作されたときの指示などを受信し、処理する。レーベルデザイン生成部２８は、記録媒体２４の表面に印刷するレーベルのデザインを生成する。その生成されたデザイン（そのデザインのデータ）に基づき、レーベル書き込み部２５は、記録媒体２４にレーベルを書き込む（印刷する）。
【００２１】
図２は、レーベルデザイン生成部２８の構成例を示す図である。レーベルデザイン生成部２８は、特徴量抽出部５１、代表画抽出部５２、代表画蓄積部５３、フィルタ記憶部５４、代表画分別部５５、およびレイアウト決定部５６を含む構成とされている。
【００２２】
特徴量抽出部５１は、蓄積部２２に蓄積されているコンテンツから、特徴量を抽出する。代表画抽出部５２は、特徴量抽出部５１により抽出された特徴量を用いて、代表画を抽出する。代表画とは、処理対象とされているコンテンツに含まれる画像であり、そのコンテンツの内容を示しているような画像、すなわち、そのコンテンツの代表となる画像である。例えば、処理されているコンテンツが、音楽関連の番組である場合、代表画としては、例えば、歌を歌っている歌手の顔などである。
【００２３】
このような代表画を、コンテンツから抽出するための特徴量を、特徴量抽出部５１は抽出する。例えば、シーンチェンジを検出するための特徴量、盛り上がっているシーンを検出するために音声を解析することにより抽出される特徴量が抽出される。また代表画は、例えば、シーンチェンジの前または後の画像、盛り上がっているシーンの中央付近の画像などである。
【００２４】
代表画抽出部５２は、１つのコンテンツから複数の代表画を抽出する。抽出された代表画は、代表画蓄積部５３に蓄積される。代表画蓄積部５３には、複数のコンテンツ毎に、コンテンツと関連付けられた状態で、代表画が蓄積される。
【００２５】
例えば、１時間のコンテンツを例に挙げると、地上デジタル放送のフレームレートは、５９．９４枚／秒であるので、１時間（＝６０×６０＝３６００秒）分のフレームは、２１５７８４枚となる。仮に、５秒ぐらいに１枚の割合で代表画を抽出すると設定すると、１時間分だと、７２０枚の代表画が抽出されることになる。この例の場合、２１５７８４枚から７２０枚に画像が絞り込まれたことになる。このように、特徴量抽出部５１と代表画抽出部５２の処理により、コンテンツを代表する複数の画像が抽出される。
【００２６】
フィルタ記憶部５４には、複数のフィルタが記憶されている。ここで、フィルタについて、図３を参照して説明する。図３は、フィルタ記憶部５４に記憶されているフィルタの一例を示す図である。レーベルが印刷される記録媒体２４は、ディスク状で、中央に穴が設けられた形状とされている。この穴に、印刷したい、例えば、顔やテキストが、その穴にかからないようにするためのフィルタである。後述するように、レーベルとして印刷されるのは、代表画であり、代表画の主要部分が、記録媒体２４の穴にかからないようにするためのフィルタである。なお、“代表画の主要部分”と記述したのは、代表画の全てをレーベルとして印刷するのではなく、代表画の一部分を印刷するからである。
【００２７】
また、記録媒体２４に記録するコンテンツ数に応じて、適用されるフィルタが異なる。これは、記録媒体２４に記録されるコンテンツの数が、例えば２つである場合、その２つのコンテンツから、それぞれ抽出された代表画をレーベルとするために、その２つの代表画の主要部分がそれぞれ、記録媒体２４の穴にかからないようにするために、記録されるコンテンツ数毎にフィルタが用意されている。
【００２８】
図３は、記録媒体２４に記録するコンテンツ数が、１乃至４の場合のフィルタの一例を示している。フィルタ組１０１は、記録媒体２４に記録するコンテンツ数が、１つの場合のフィルタであり、そのフィルタ組１０１には、フィルタ１０１−１が含まれる。フィルタ組には、１または複数のフィルタが含まれる。換言すれば、フィルタ組には、記録媒体２４に記録するコンテンツ数分のフィルタが含まれる。
【００２９】
フィルタ組１０２は、記録媒体２４に記録するコンテンツ数が、２つの場合のフィルタである。フィルタ組１０２には、フィルタ１０２−１とフィルタ１０２−２の２つのフィルタが含まれる。
【００３０】
フィルタ組１０３は、記録媒体２４に記録するコンテンツ数が、３つの場合のフィルタである。フィルタ組１０３には、フィルタ１０３−１乃至１０３−３の３つのフィルタが含まれる。同様に、フィルタ組１０４は、記録媒体２４に記録するコンテンツ数が、４つの場合のフィルタである。フィルタ組１０４には、フィルタ１０４−１乃至１０４−４の４つのフィルタが含まれる。
【００３１】
図３において、四角い枠は、代表画の画枠を示し、白塗りの部分は、代表画から切り取られて、レーベルとして印刷される範囲を示す。換言すれば、円形や扇形状の白い部分が、代表画から切り出され、レーベルとして印刷される部分である。
【００３２】
フィルタ組１０１に含まれるフィルタ１０１−１を参照する。フィルタ１０１−１は、１つのコンテンツを記録するときに適用されるフィルタであり、１つの代表画をレーベルとするときに適用されるフィルタである。よって、フィルタ１０１−１は、記録媒体２４全体を印刷範囲とするような形状（図３においてフィルタ１０１−１の白い円形で示した部分）のフィルタである。
【００３３】
フィルタ組１０２に含まれるフィルタ１０２−１とフィルタ１０２−２を参照する。フィルタ１０２−１とフィルタ１０２−２は、２つのコンテンツを記録するときに適用されるフィルタであり、２つの代表画をレーベルとするときに適用されるフィルタである。よって、フィルタ１０２−１は、記録媒体２４の上半分を印刷範囲とするような形状のフィルタであり、フィルタ１０２−２は、記録媒体２４の下半分を印刷範囲とするような形状のフィルタである。フィルタ１０２−１とフィルタ１０２−２を足し合わせると、記録媒体２４の全体を印刷範囲とする形状のフィルタとなる。
【００３４】
フィルタ組１０３に含まれるフィルタ１０３−１乃至１０３−３を参照する。フィルタ１０３−１乃至１０３−３は、３つのコンテンツを記録するときに適用されるフィルタであり、３つの代表画をレーベルとするときに適用されるフィルタである。よって、フィルタ１０３−１は、記録媒体２４の上側の１／３の部分を印刷範囲とするような形状のフィルタであり、フィルタ１０３−２は、記録媒体２４の右側の１／３を印刷範囲とするような形状のフィルタであり、フィルタ１０３−３は、記録媒体２４の左側の１／３を印刷範囲とするような形状のフィルタである。フィルタ１０３−１乃至１０３−３を足し合わせると、記録媒体２４の全体を印刷範囲とする形状のフィルタとなる。
【００３５】
フィルタ組１０４に含まれるフィルタ１０４−１乃至１０４−３を参照する。フィルタ１０４−１乃至１０４−４は、４つのコンテンツを記録するときに適用されるフィルタであり、４つの代表画をレーベルとするときに適用されるフィルタである。よって、フィルタ１０４−１は、記録媒体２４の右上側の１／４の部分を印刷範囲とするような形状のフィルタであり、フィルタ１０４−２は、記録媒体２４の右下側の１／４を印刷範囲とするような形状のフィルタであり、フィルタ１０４−３は、記録媒体２４の左上側の１／４を印刷範囲とするような形状のフィルタであり、フィルタ１０４−４は、記録媒体２４の左下側の１／４を印刷範囲とするような形状のフィルタである。フィルタ１０４−１乃至１０４−４を足し合わせると、記録媒体２４の全体を印刷範囲とする形状のフィルタとなる。
【００３６】
このように、記録媒体２４に記録するコンテンツ数に応じて、フィルタが用意されている。これらのフィルタは、コンテンツ数に応じて記録媒体２４のレーベルが印刷される面を領域分割したときの形状である。なお、図３に示したフィルタは一例であり、限定を示しているものではない。例えば、図３では、４つのコンテンツを記録するときに適用されるフィルタ組１０４までしか図示していないが、５つのコンテンツを記録するときに適用されるフィルタ組なども、追加して、フィルタ記憶部５４に記憶させておくことは勿論可能である。
【００３７】
また、例えば、図３に示したフィルタ組１０２に含まれるフィルタ１０２−１とフィルタ１０２−２は、上側と下側をそれぞれ印刷範囲とするフィルタであるが、２つのコンテンツを記録するときのフィルタ組として、右側と左側をそれぞれ印刷範囲とするフィルタを設けるようにしても良い。すなわち、例えば２つのコンテンツを記録するときに適用されるフィルタ組を複数設けても良いし、１つのフィルタ組に含まれるフィルタが、図３に示した例に限定されるわけではない。
【００３８】
図２に示したレーベルデザイン生成部２８の構成例に説明を戻す。代表画分別部５５は、代表画蓄積部５３に蓄積されている代表画を、フィルタ記憶部５４に記憶されているフィルタでフィルタリングし、複数の代表画から、レーベルとして記録媒体２４に印刷する代表画を選択する。代表画分別部５５による処理について説明する。
【００３９】
まず図４を参照し、４つのコンテンツを１つの記録媒体２４に記録する場合を例に挙げ、代表画にフィルタを適用するときの処理について説明をする。所定のコンテンツから、図４Ａに示したような代表画１３１が抽出される。この代表画１３１には、人物１３２が映っている。この代表画の主要部分は、人物１３２の顔の部分であり、この部分がレーベルとして印刷されることが好ましいとして説明を続ける。
【００４０】
この代表画１３１に、フィルタ１０４−１を適用すると、図４Ｂに示したように、印刷範囲内に人物１３２の上半身だけが抽出される。よって、このフィルタ１０４−１を適用した場合、レーベルとして印刷されるのは、人物１３２の上半身となる。
【００４１】
同様に、代表画１３１に、フィルタ１０４−２を適用すると、図４Ｃに示したように、印刷範囲内に人物１３２の下半身だけが抽出される。よって、このフィルタ１０４−２を適用した場合、レーベルとして印刷されるのは、人物１３２の下半身となる。
【００４２】
同様に、代表画１３１に、フィルタ１０４−３を適用すると、図４Ｄに示したように、印刷範囲内に人物１３２は抽出されないことになる。よって、このフィルタ１０４−１を適用した場合、レーベルとして人物１３２は印刷されないことになる。同様に、代表画１３１に、フィルタ１０４−４を適用すると、図４Ｅに示したように、印刷範囲内に人物１３２は抽出されないことになり、この場合も、レーベルとして人物１３２は印刷されないことになる。
【００４３】
このように、フィルタは、レーベルとして印刷される代表画のうちの印刷範囲を決定するときに用いられる。図４に示したような場合、人物１３２の顔の部分が印刷されることが好ましいと考えられる。よって、図４Ｃに示したような、人物１３２の下半身だけが印刷されるような場合や、図４Ｄや図４Ｅに示したような、人物１３２が全く印刷されないような場合は、好ましくない状態である。よって、代表画１３１は、フィルタ１０４−１が適用されるときには、適している代表画である。
【００４４】
このように、１枚の代表画に注目したとき、どのフィルタを適用するかで、その代表画がレーベルとして適しているか否かを判断することができる。図４に示した例の場合、代表画１３１は、フィルタ１０４−１が適用される代表画として分別される。
【００４５】
上記したように、１つのコンテンツから複数の代表画が抽出される。４つのコンテンツが記録媒体２４に記録される場合、フィルタ組１０４が適用されるが、そのフィルタ１０４−１乃至１０４−４毎に、適している代表画が分別される。また、フィルタ１０４−１乃至１０４−４のうち、どのフィルタを適用しても適してないと判断される代表画もある。そのような一例を、図５を参照して説明する。
【００４６】
所定のコンテンツから、図５Ａに示したような代表画１４１が抽出される。この代表画１４１には、人物１４２が映っている。この代表画１４１に、フィルタ１０４−１を適用すると、図５Ｂに示したように、印刷範囲内に人物１４２の上半身の一部分だけが抽出される。よって、このフィルタ１０４−１を適用した場合、レーベルとして印刷されるのは、人物１４２の上半身の一部分となる。
【００４７】
同様に、この代表画１４１に、フィルタ１０４−２を適用すると、図５Ｃに示したように、印刷範囲内に人物１４２の下半身の一部分だけが抽出され、フィルタ１０４−３を適用すると、図５Ｄに示したように、印刷範囲内に人物１４２の上半身の一部分だけが抽出され、フィルタ１０４−４を適用すると、図５Ｅに示したように、印刷範囲内に人物１４２の下半身の一部分だけが抽出されることになる。
【００４８】
このような場合、人物１４２の顔をレーベルとして印刷しようと設定したい場合、どのフィルタを用いても、人物１４２の顔を適切に印刷できるフィルタはないことになる。このような場合、代表画１４１は、レーベルに印刷する画像として適していないと判断され、レーベルの画像の候補としては、破棄される。
【００４９】
なお、このように破棄される代表画１４１であっても、他のフィルタ組に含まれるフィルタであれば、そのフィルタに適した代表画である場合があるので、代表画蓄積部５３から削除する必要はない。
【００５０】
なお、上記したように、代表画に映し出されている画像のうち、顔をレーベルに印刷する場合、画像から顔を検出する必要があるが、顔を検出する方法は、既に、デジタルカメラなどで利用されている方法を用いることができる。
【００５１】
図６を参照し、図４および図５を参照して説明した代表画にフィルタを適用したときの処理についてさらに説明を加える。代表画蓄積部５３には、１つのコンテンツから抽出された複数の代表画が蓄積されている。以下、適宜、この複数の代表画を、代表画群と記述する。代表画群２０１に含まれる代表画は、フィルタ１０４−１乃至１０４−４がそれぞれ適用されることにより、この場合、４つのグループに分別される（破棄される代表画は、グループを構成しないとする）。
【００５２】
分別された画像は、レーベルとして、記録媒体２４に印刷される可能性のある画像であるので、以下、適宜、レーベル候補画像と記述し、そのレーベル候補画像が複数集まったときの名称は、レーベル候補画像群と記述する。
【００５３】
レーベル候補画像群２０２には、４つのグループが存在する。グループ２２１には、フィルタ１０４−１が適用されるときに適した代表画が含まれ、グループ２２２には、フィルタ１０４−２が適用されるときに適した代表画が含まれ、グループ２２３には、フィルタ１０４−３が適用されるときに適した代表画が含まれ、グループ２２４には、フィルタ１０４−４が適用されるときに適した代表画が含まれる。
【００５４】
このように、代表画群２０１は、レーベル候補画像群２０２へと変換される。代表画群２０１に含まれる代表画の枚数より、レーベル候補画像群２０２に含まれるレーベル候補画像の枚数は、破棄される代表画を考慮すると、少なくなっている。よって、この段階でも、レーベルに印刷する画像の絞り込みが行われることになる。
【００５５】
このように、代表画分別部５５は、記録媒体２４に記録されるコンテンツ数に応じて、フィルタ組を決定し、フィルタ記憶部５４からフィルタを読み出すとともに、読み出したフィルタを、代表画蓄積部５３に蓄積されている代表画に適用することで、フィルタ毎に適している代表画を分別する。
【００５６】
図２に示したレーベルデザイン生成部２８の構成例に説明を戻す。レイアウト決定部５６は、代表画分別部５５により分別された代表画を、組み合わせて、レーベルとして印刷する画像を決定する。このことについて、図７を参照して説明する。
【００５７】
記録媒体２４に４つのコンテンツを記録する場合、図７に示したように、コンテンツ毎に、レーベル候補画像群２０２―１乃至２０２−４が生成される。レーベル候補画像群２０２―１は、コンテンツＡから生成されたレーベル候補画像群であり、グループ２２１―１，２２２−１，２２３−１，および２２４−１を含む。
【００５８】
同様に、レーベル候補画像群２０２―２は、コンテンツＢから生成されたレーベル候補画像群であり、グループ２２１―２，２２２−２，２２３−２，および２２４−２を含み、レーベル候補画像群２０２―３は、コンテンツＣから生成されたレーベル候補画像群であり、グループ２２１―３，２２２−３，２２３−３，および２２４−３を含み、レーベル候補画像群２０２―４は、コンテンツＤから生成されたレーベル候補画像群であり、グループ２２１―４，２２２−４，２２３−４，および２２４−４を含む。
【００５９】
グループ２２１−１乃至２２１−４は、それぞれフィルタ１０４−１が適用されたときに適したレーベル候補画像を含み、グループ２２２−１乃至２２２−４は、それぞれフィルタ１０４−２が適用されたときに適したレーベル候補画像を含み、グループ２２３−１乃至２２３−４は、それぞれフィルタ１０４−３が適用されたときに適したレーベル候補画像を含み、グループ２２４−１乃至２２４−４は、それぞれフィルタ１０４−４が適用されたときに適したレーベル候補画像を含む。
【００６０】
このようなレーベル候補画像群が存在しているとき、例えば、コンテンツＡから生成されたレーベル候補画像群２０２−１に含まれるグループ２２１−１から、記録媒体２４の右上側用のレーベル候補画像２２１−１’が選択された場合、他のレーベル候補画像群２０２−２乃至２０２−４からは、記録媒体２４の他の部分（右下側、左上側、左下側）用のレーベル候補画像が選択される。
【００６１】
このような状態のとき、例えば、コンテンツＢから生成されたレーベル候補画像群２０２−２に含まれるグループ２２２−２から、記録媒体２４の右下側用のレーベル候補画像２２２−２’が選択された場合、他のレーベル候補画像群２０２−３，２０２−４からは、記録媒体２４の他の部分（左上側、左下側）用のレーベル候補画像が選択される。
【００６２】
このような状態のとき、例えば、コンテンツＣから生成されたレーベル候補画像群２０２−３に含まれるグループ２２３−３から、記録媒体２４の左上側用のレーベル候補画像２２３−３’が選択された場合、他のレーベル候補画像群２０２−４からは、記録媒体２４の他の部分（左下側）用のレーベル候補画像が選択される。
【００６３】
このような状態のとき、例えば、コンテンツＤから生成されたレーベル候補画像群２０２−４に含まれるグループ２２４−４から、記録媒体２４の左下側用のレーベル候補画像２２４−４’が選択される。
【００６４】
このように、記録媒体２４に記録するコンテンツ毎に、１枚のレーベル候補画像が選択され、その選択は、異なるレーベル候補画像群の同じグループ（同じフィルタで選択される代表が）から選択されることが無いように行われる。そして、選択された画像が組み合わされることで、記録媒体２４に印刷されるレーベルのデザインが決定される。
【００６５】
例えば、この場合、レーベル候補画像群２０２−１に含まれるグループ２２１−１に含まれるレーベル候補画像２２１−１’、レーベル候補画像群２０２−２に含まれるグループ２２２−２に含まれるレーベル候補画像２２２−２’、レーベル候補画像群２０２−３に含まれるグループ２２３−３に含まれるレーベル候補画像２２３−３’、および、レーベル候補画像群２０２−４に含まれるグループ２２４−４に含まれるレーベル候補画像２２４−４’が選択される例を挙げて説明したが、レーベル候補画像群２０２−１に含まれるグループ２２１−２に含まれるレーベル候補画像２２２−１’（不図示）が選択された場合、他のレーベル候補画像群２０２から選択されるグループが異なり、異なるレーベル候補画像が選択され、それらの画像が組み合わされることになる。
【００６６】
このような、レーベル候補画像の選択と、選択したレーベル候補画像群の組み合わせを、レイアウト決定部５６は行う。また、レイアウト決定部５６は、複数のレイアウトをユーザに提示し、ユーザが所望するレイアウトを選択させるといった処理も行う。レイアウト決定部５６により決定されたレイアウトは、レーベル書き込み部２５（図１）に供給され、レーベル書き込み部２５による処理により、記録媒体２４に書き込まれる（印刷される）。
【００６７】
次に、このような記録媒体２４のレーベルを作成する処理について、図８のフローチャートを参照して説明する。
【００６８】
ステップＳ２１において、レーベルデザイン生成部２８の特徴量抽出部５１（図２）は、蓄積部２２に蓄積されているコンテンツを取得し、そのコンテンツから特徴量を抽出する。この処理は、蓄積部２２にコンテンツが蓄積されるとともに行われても良いし、蓄積部２２にコンテンツが蓄積された後の時点で行われるようにしても良い。
【００６９】
ステップＳ２２において、代表画抽出部５２は、特徴量抽出部５１により抽出された特徴量を用いて、代表画１４１を抽出する。抽出された代表画１４１は、その代表画１４１が抽出されたコンテンツと関連付けられて（コンテンツを一意に識別できる情報とともに）代表画蓄積部５３に蓄積される。
【００７０】
このように抽出される特徴量は、代表画１４１を抽出するために必要とされる情報であるので、代表画１４１が抽出できるような特徴量であれば良い。例えば、コマーシャルにはいる直前の画像やコマーシャル直後の画像を代表画１４１とするのであれば、コマーシャルと本編の変わり目を検出するための特徴量が、例えば、映像や音声が解析されることにより行われる。また、例えば、人の顔が映し出されている画像を代表画１４１とする場合、人の顔を検出する方法を適用し、その方法で必要とされる特徴量が抽出される。
【００７１】
また、音声が解析され特徴量が抽出され、その特徴量を用いて、例えば、盛り上がっている部分を検出し、その盛り上がっている部分の画像を代表画１４１として抽出されるようにしても良い。
【００７２】
ステップＳ２３において、記録媒体２４に記録するコンテンツ数が取得される。記録媒体２４に記録するコンテンツ数は、ユーザにより指示される。ユーザ操作受付部２７は、ユーザからの指示を解析しコンテンツ数を取得する。ユーザ操作受付部２７により取得されたコンテンツ数は、レーベルデザイン生成部２８のフィルタ記憶部５４に供給される。
【００７３】
ステップＳ２４において、フィルタ記憶部５４は、供給されたコンテンツ数に応じたフィルタ組を選択する。この選択は、図３を参照して説明したように行われる。選択されたフィルタ組およびそのフィルタ組に含まれるフィルタの情報は、代表画分別部５５に供給される。
【００７４】
ステップＳ２５において、代表画分別部５５は、代表画を分別する。すなわち、図４乃至図６を参照して説明したように、記録されるコンテンツから抽出された代表画を、代表画蓄積部５３から読み出し、その読み出した代表画に対して、フィルタ記憶部５４から供給されたフィルタを順次適用することで代表画を分別する。この処理により、図４乃至図６を参照して説明したように、フィルタ組に含まれていたフィルタの数と同数のグループを含むレーベル候補画像群が生成される。
【００７５】
ステップＳ２６において、レイアウト決定部５６は、レーベルのレイアウトを複数決定する。この処理は、図７を参照して説明したように行われる。
【００７６】
ステップＳ２６の処理において、以下のような処理が含まれるようにしても良い。例えば、同じタイトルのコンテンツが記録媒体２４に複数記録される場合、同じタイトルのコンテンツなので、それらのコンテンツから抽出される代表画は類似している可能性がある。類似している画像を１枚のレーベルとして印刷しても良いが、異なる画像を印刷すると設定する場合、各コンテンツからのレーベル候補画像を選択して組み合わせるとき、選択されたレーベル候補画像の類似度を計算し、類似度が所定の閾値以上である場合には、その組み合わせを破棄するといった処理が行われるようにしても良い。
【００７７】
このような処理が行われることで、または他の処理が行われることで、組み合わせ数が絞り込まれるようにしても良い。
【００７８】
ここで、コンテンツ数について説明を加える。上述してきたように、記録媒体２４に記録されるコンテンツ数により、フィルタが設定されるとした。よって、例えば、４つのコンテンツが記録媒体２４に記録されるときには、フィルタ１０４−１乃至１０４−４の４個のフィルタを含むフィルタ組が選択されるとして説明した。
【００７９】
ところで、上記したように、同じタイトルのコンテンツを、記録媒体２４に複数記録する場合がある。例えば、連続ドラマなどと称されるテレビジョン放送の番組を、順番に記録媒体２４に記録する場合がある。このような、同じタイトルのコンテンツを複数記録するときには、類似する代表画が選択され、レーベルとして記録媒体２４に印刷される場合があることが想定される。
【００８０】
そこで、同じタイトルのコンテンツが複数記録されるときには、同じタイトルのコンテンツは１つのコンテンツであるとして扱われるようにしても良い。例えば、同じタイトルのコンテンツを４つ記録するときには、１つのコンテンツが記録されるとして扱い、１つのフィルタ１０１−１を含むフィルタ組１０１（図３）が選択されるようにしても良い。すなわちこのようにした場合、記録媒体２４に記録されるタイトル数に応じて、フィルタが選択され、その後の処理が行われる。
【００８１】
タイトル数に応じて、フィルタが選択されるようにした場合であっても、上記した処理は適用でき、単に、上記した説明において、コンテンツ数とした部分をタイトル数とすれば良い。
【００８２】
図８に示したフローチャートの処理に説明に戻り、レイアウト決定部５６により生成されたレーベルの複数のレイアウトは、ユーザに提示される。例えば、表示部１２（図１）に、複数のレイアウトが表示される（その表示が制御される）処理が実行されることにより、ユーザへの提示が行われる。ユーザは表示されている複数のレイアウトから所望のレイアウトを選択する。ユーザにより選択されたレイアウトの情報は、ユーザ操作受付部２７を介して、レイアウト決定部５６に供給される。
【００８３】
ステップＳ２７において、レイアウト決定部５６は、複数のレイアウトのうちから、１つのレイアウトを決定する。この決定は、上記したように、ユーザの指示に基づいて行われる。
【００８４】
ステップＳ２８において、レイアウト決定部５６は、決定したレイアウトで印刷を行うように、レーベル書き込み部２５（図１）に指示を出す。
【００８５】
このように、記録媒体２４に記録されるレーベルが設定され、印刷されることで、ユーザは、その印刷されているレーベルを閲覧することで記録されている内容を認識することができるようになる。また、レーベルとして印刷される画像の候補は、代表画を抽出することで絞り込み、その後、さらにフィルタを適用して絞り込むため、レーベルとして印刷する画像の絞り込みを適切にできる。
【００８６】
さらに、記録媒体２４の形状に依存して印刷できない範囲（ディスク状の記録媒体２４の場合、中央に設けられている穴）に、印刷すべき画像（例えば、顔やテキスト）がかからないようにするためのフィルタを用いて絞り込みを行うため、画像の重要な部分が欠落してしまうような印刷を防ぐことが可能となる。
【００８７】
上述した一連の処理は、ハードウェアにより実行させることもできるし、ソフトウエアにより実行させることもできる。一連の処理をソフトウエアにより実行させる場合には、そのソフトウエアを構成するプログラムが、専用のハードウェアに組み込まれているコンピュータ、または、各種のプログラムをインストールすることで、各種の機能を実行することが可能な、例えば汎用のパーソナルコンピュータなどに、プログラム記録媒体からインストールされる。
【００８８】
図１３は、上述した一連の処理をプログラムにより実行するパーソナルコンピュータのハードウェアの構成の例を示すブロック図である。
【００８９】
コンピュータにおいて、ＣＰＵ（Central Processing Unit）１０１、ＲＯＭ（Read Only Memory）１０２、ＲＡＭ（Random Access Memory）１０３は、バス１０４により相互に接続されている。
【００９０】
バス１０４には、さらに、入出力インターフェース１０５が接続されている。入出力インターフェース１０５には、キーボード、マウス、マイクロホンなどよりなる入力部１０６、ディスプレイ、スピーカなどよりなる出力部１０７、ハードディスクや不揮発性のメモリなどよりなる記憶部１０８、ネットワークインタフェースなどよりなる通信部１０９、磁気ディスク、光ディスク、光磁気ディスク、あるいは半導体メモリなどのリムーバブルメディア１１１を駆動するドライブ１１０が接続されている。
【００９１】
以上のように構成されるコンピュータでは、ＣＰＵ１０１が、例えば、記憶部１０８に記憶されているプログラムを、入出力インターフェース１０５及びバス１０４を介して、ＲＡＭ１０３にロードして実行することにより、上述した一連の処理が行われる。
【００９２】
コンピュータ（ＣＰＵ１０１）が実行するプログラムは、例えば、磁気ディスク（フレキシブルディスクを含む）、光ディスク（CD-ROM(Compact Disc-Read Only Memory),DVD(Digital Versatile Disc)等）、光磁気ディスク、もしくは半導体メモリなどよりなるパッケージメディアであるリムーバブルメディア１１１に記録して、あるいは、ローカルエリアネットワーク、インターネット、デジタル衛星放送といった、有線または無線の伝送媒体を介して提供される。
【００９３】
そして、プログラムは、リムーバブルメディア１１１をドライブ１１０に装着することにより、入出力インターフェース１０５を介して、記憶部１０８にインストールすることができる。また、プログラムは、有線または無線の伝送媒体を介して、通信部１０９で受信し、記憶部１０８にインストールすることができる。その他、プログラムは、ＲＯＭ１０２や記憶部１０８に、あらかじめインストールしておくことができる。
【００９４】
なお、コンピュータが実行するプログラムは、本明細書で説明する順序に沿って時系列に処理が行われるプログラムであっても良いし、並列に、あるいは呼び出しが行われたとき等の必要なタイミングで処理が行われるプログラムであっても良い。
【００９５】
また、本明細書において、システムとは、複数の装置により構成される装置全体を表すものである。
【００９６】
なお、本発明の実施の形態は、上述した実施の形態に限定されるものではなく、本発明の要旨を逸脱しない範囲において種々の変更が可能である。
【図面の簡単な説明】
【００９７】
【図１】本発明を適用した記録装置の一実施の形態の構成を示す図である。
【図２】レーベルデザイン生成部の構成例を示す図である。
【図３】フィルタについて説明するための図である。
【図４】フィルタについて説明するための図である。
【図５】フィルタについて説明するための図である。
【図６】フィルタについて説明するための図である。
【図７】レイアウトについて説明するための図である。
【図８】印刷設定に係わる処理について説明するためのフローチャートである。
【図９】記録媒体について説明する図である。
【符号の説明】
【００９８】
１１  記録装置，  １２  表示部，  １３  放送受信部，  ２２  蓄積部，  
２３  コンテンツ書き込み部，  ２４  記録媒体，  ２５  レーベル書き込み部，  ２６  制御部，  ２７  ユーザ操作受付部，  ２８  レーベルデザイン生成部，  ５１  特徴量抽出部，  ５２  代表画抽出部，  ５３  代表画蓄積部，  ５４  フィルタ記憶部，  ５５  代表画分別部，  ５６  レイアウト決定部
【図１】
2009140523.tif 000003
【図２】
2009140523.tif 000004
【図３】
2009140523.tif 000005
【図４】
2009140523.tif 000006
【図５】
2009140523.tif 000007
【図６】
2009140523.tif 000008
【図７】
2009140523.tif 000009
【図８】
2009140523.tif 000010
【図９】
2009140523.tif 000011